(57)【要約】【課題】  義歯を口腔内の顎堤部の支台歯となる歯牙に磁気吸引力を利用して固定するための特に支台歯となる歯牙が前歯の場合に有効な歯科用磁性アタッチメントとその製造方法とを提供する。【解決手段】  被吸着面1aが長軸側が外に凸の曲線をなし短軸側が長軸側の外に凸の曲線に連続する外に凸の曲線又は直線をなし長軸径と短軸径との比が１.０２〜２.０である形状の軟磁性材料から成るキーパ１と、軟磁性材料から成るカップヨーク２の中心部に設けられている円形の凹部2a内に円柱状永久磁石が埋入されておりカップヨーク２の凹部2aをリング状の非磁性体シール４を介して軟磁性体から成る円板状のディスク板５で密封溶接してキーパ１の被吸着面1aと略同形である平面状の吸着面6aとし円柱状永久磁石の径を１としたとき磁石構造体６の吸着面6aの短軸径が１.１〜１.４である磁石構造体６とで歯科用磁性アタッチメントを構成する。【選択図】        図１
2004298611.tif 000002
【特許請求の範囲】
【請求項１】
被吸着面(1a)が長軸側が外に凸の曲線をなし短軸側が長軸側の外に凸の曲線に連続する外に凸の曲線又は直線をなし長軸径と短軸径との比（長軸径／短軸径）が１.０２〜２.０である形状の軟磁性材料から成るキーパ(１)と、軟磁性材料から成るカップヨーク(２)の中心部に設けられている円形の凹部(2a)内に円柱状永久磁石(３)が埋入されており該カップヨーク(２)の凹部(2a)をリング状の非磁性体シール(４)を介して軟磁性体から成る円板状のディスク板(５)で密封溶接して該キーパ(１)の被吸着面(1a)と略同形である平面状の吸着面(6a)とした磁石構造体(６)とから成り、該円柱状永久磁石(３)の径を１としたとき該磁石構造体(６)の吸着面(6a)の短軸径が１.１〜１.４であることを特徴とする歯科用磁性アタッチメント。
【請求項２】
キーパ(１)の被吸着面(1a)の形状が、長軸側の外に凸の曲線が長軸の中心を中心とする同一半径の円弧であり短軸側が長軸側の円弧に連続する直線をなしている請求項１に記載の歯科用磁性アタッチメント。
【請求項３】
キーパ(１)の被吸着面(1a)の形状がだ円形状である請求項１に記載の歯科用磁性アタッチメント。
【請求項４】
磁石構造体(６)の吸着面(6a)の形状が短軸側が互いに略平行な直線をなす形状であり、その短軸側の直線から連続してカップヨーク(２)の側部に相対する平面状の側面(2b，2b)が設けられている請求項１又は２に記載の歯科用磁性アタッチメント。
【請求項５】
カップヨーク(２)の相対する平面状の側面(2b，2b)が互いに略平行である請求項４に記載の歯科用磁性アタッチメント。
【請求項６】
磁石構造体(６)の吸着面(6a)におけるカップヨーク(２)が占める面積(Sa)と円柱状永久磁石(３)の横断面積(Sm)との比（Sa／Sm）が０.８〜１.５である請求項１から５までのいずれか１項に記載の歯科用磁性アタッチメント。
【請求項７】
キーパ(１)の側部に把持棒(1b)が設けられている請求項１から６までのいずれか１項に記載の歯科用磁性アタッチメント。
【請求項８】
キーパ(１)の被吸着面(1a)と反対側の面にポスト(1c)が設けられている請求項１から７までのいずれか１項に記載の歯科用磁性アタッチメント。
【請求項９】
中心部に円形の凹部(2a)が設けられていて該凹部(2a)が設けられている側の面の外形が長軸側が外に凸の曲線をなし短軸側が長軸側の外に凸の曲線に連続する外に凸の曲線又は直線をなす形状であり該凹部(2a)に埋入される円柱状永久磁石(３)の径を１としたとき短軸径が１.１〜１.４且つ長軸径と短軸径との比（長軸径／短軸径）が１.０２〜２.０である形状の軟磁性材料から成るカップヨーク(２)の該凹部(2a)内に円柱状永久磁石(３)を埋入し、該カップヨーク(２)の凹部(2a)をリング状の非磁性体シール(４)を介して軟磁性体から成る円板状のディスク板(５)で密封溶接して平面状の吸着面(6a)とすることにより磁石構造体(６)を製造することを特徴とする磁石構造体の製造方法。
【請求項１０】
中心部に円形の凹部(2a)が設けられている軟磁性材料から成る横断面が円形のカップヨーク(２')の該凹部(2a)内に円柱状永久磁石(３)を埋入し、該カップヨーク(２')の凹部(2a)をリング状の非磁性体シール(４)を介して軟磁性体から成る円板状のディスク板(５)で密封溶接して平面状とすることにより横断面が円形の磁石構造体(６')を製作し、該カップヨーク(２')の相対する側部を平面状に切除してカップヨーク(２)とすることにより、該円柱状永久磁石(３)の径を１としたとき吸着面(6a)の短軸径が１.１〜１.４且つ長軸径と短軸径との比（長軸径／短軸径）が１.０２〜２.０となる磁石構造体(６)を製造することを特徴とする磁石構造体の製造方法。
【請求項１１】
軟磁性材料から成る円板状のキーパ(１')の相対する側部を平面状に切除して被吸着面(1a)の長軸径と短軸径との比（長軸径／短軸径）が１.０２〜２.０となるように製造することを特徴とするキーパの製造方法。
【請求項１２】
被吸着面(1a')の平面形状が円である軟磁性材料から成るキーパ(１')と、中心部に円形の凹部(2a)が設けられていて該凹部(2a)が設けられている側の面の外形が該キーパ(１')の被吸着面(1a')と同形である軟磁性材料から成るカップヨーク(２)の該凹部(2a)内に円柱状永久磁石(３)が埋入されており該カップヨーク(２)の凹部(2a)をリング状の非磁性体シール(４)を介して軟磁性体から成る円板状のディスク板(５)で密封溶接して平面状の吸着面(6a')とした磁石構造体(６')とを準備し、該磁石構造体(６')の吸着面(6a')を該キーパ(１')の被吸着面(1a')に磁着させた状態でそれぞれの相対する側部を同時に平面状に切除することにより、被吸着面(1a)の長軸径と短軸径との比（長軸径／短軸径）が１.０２〜２.０となるキーパ(１)と、吸着面(6a)が該キーパ(１)の被吸着面(1a)と同形であり円柱状永久磁石(３)の径を１としたとき該吸着面(6a)の短軸径が１.１〜１.４となる磁石構造体(６)とを製造することを特徴とする歯科用磁性アタッチメントの製造方法。
【発明の詳細な説明】
【技術分野】
【０００１】
本発明は、義歯を患者の口腔内の顎堤部の支台歯となる歯牙、特に好ましくは前歯の歯牙に磁気吸引力を利用して固定するための義歯床の顎堤側に固定される歯科用磁性アタッチメント用磁石構造体及び患者の口腔内の顎堤部の支台歯となる歯牙に固定される歯科用磁性アタッチメント用キーパとのセットから成る歯科用磁性アタッチメント及びその製造方法に関するものである。
【背景技術】
【０００２】
口腔内に部分床や全部床の義歯を固定する方法として、近年、義歯床の顎堤側に固定される永久磁石の周囲を被覆した磁石構造体と、患者の口腔内の顎堤部の支台歯となる歯牙に固定される軟磁性材料から成るキーパとから成る歯科用磁性アタッチメントを使用して磁石構造体とキーパとの間に作用する磁気吸引力を利用する方法が広く採用されるようになってきている。これは、クラスプ等の機械的維持装置のように摩耗・破損する部分がなく長期間の使用においても維持力の減衰がないことや、着脱力の方向が厳密でなく義歯の設計・製作が容易で且つ義歯の口腔内への着脱が容易であることや、クラスプのように露出する部分がなく審美性が優れていることや、清掃性が優れていることなどの優れた特性を有しているからである。
【０００３】
このような磁石構造体とキーパとから成る歯科用磁性アタッチメントにおいて、磁石構造体としては、根面板に向けて立設した耐食軟磁性合金からなる一対のヨークと、該一対のヨークの間において根面板側に設けた耐食非磁性合金からなるスペーサ及び該スペーサの反根面板側にＳ極とＮ極を上記両ヨークに対向させて設けた磁石体と、上記一対のヨーク及びスペーサの根面板側を除いて被冠した耐食非磁性合金からなるケースとよりなる外形が矩形状を成すサンドイッチ型と称される磁石構造体（例えば、特許文献１参照。）と、一方の面に円板の中心軸を中心とした円形の凹部が設けられている磁性材料から成るカップ状のヨーク内にその凹部と同形の永久磁石が埋入され、その凹部がリング状の非磁性体部分を介して磁性体から成るディスク板で密封溶接されている外形が円板状を成すカップヨーク型と称される磁石構造体（例えば、特許文献２参照。）とが主流を占めている。
【０００４】
【特許文献１】特公平７−３２７８４号公報
【特許文献２】特許第２７９５７５５号公報
【０００５】
このような構造の２種類の磁石構造体とキーパとで構成される磁性アタッチメントの平面形状は、部品構成上及び磁気回路上の利点から、サンドイッチ型の磁石構造体では矩形状が、カップヨーク型の磁石構造体では円板形がそれぞれ採用されている。
【０００６】
一般に臨床的応用に際しては、義歯の形態及び歯牙の形態を考慮して維持装置が設計・製作されるが、現在市販されている歯科用磁性アタッチメントの形状は磁石構造体の構造上から前述したように矩形状又は円板形に限られる。これに対して、義歯の形態及びキーパが固定される支台歯の歯肉辺縁の歯牙断面等は部位によって異なっており、特に一般的に前歯部と臼歯部とではキーパが固定される支台歯の歯肉辺縁の歯牙断面形状が大きく異っているから、歯牙断面形状が細長いだ円形状をなしている前歯部では矩形状のキーパが適しているの対して、歯牙断面形状が円形に近い臼歯部では円板形のキーパが適している。しかしながらこのようにキーパを使い分けると、キーパの形状に合わせて前歯部には矩形状のサンドイッチ型の磁石構造体を、臼歯部には円板形のカップヨーク型の磁石構造体を使用しなければならなくなり、これら２種類の磁石構造体には基本形態の違いや義歯側との維持機構の違い等が存在しているため義歯製作における技工製作上の統一性がなくなり製作作業が煩雑となるのである。
【０００７】
そのため、歯牙の断面形状に関係なく矩形状のサンドイッチ型の磁石構造体又は円板形のカップヨーク型の磁石構造体のいずれか一方のみを使用できれば好ましいが、例えば、前歯部に適した矩形状のキーパとサンドイッチ型の磁石構造体は、歯牙断面形状が円形に近い臼歯部に使用することも可能ではあるものの、サンドイッチ型の磁石構造体はカップヨーク型の磁石構造体に比べて厚みがあるため、磁石構造体を固定する部位の義歯床の厚さが不足している場合などには使用できないという問題がある。
【０００８】
また、臼歯部に適した円板形のキーパとカップヨーク型の磁石構造体を前歯部に使用した場合、前歯部は歯牙断面形状が細長いだ円形状であるから、円板形のキーパは小さなサイズのものしか使用できないため義歯を強固に固定することができず、また無理に大きな円板形のキーパを使用すると歯牙に固定することが困難な上に、歯牙を必要以上に切削しなければならなくなり、可能な限り最小の切削量に抑えて欲しいと願う患者に大きな苦痛を与えるなどの問題も生じるのである。
【０００９】
そこで矩形状のキーパを使用することが好ましい歯牙断面形状と円板形のキーパを使用することが好ましい歯牙断面形状との何れにも対応できる同タイプで異なる形状の歯科用磁石アタッチメントが求められている。
【発明の開示】
【発明が解決しようとする課題】
【００１０】
本発明は前記要求を満たし、特に前歯部のようにキーパが固定される支台歯の歯肉辺縁付近の歯牙断面形状がだ円形に近い形状を成している歯牙に対して有効である、義歯床の顎堤側に固定される歯科用磁性アタッチメント用磁石構造体及び患者の口腔内の顎堤部の支台歯となる歯牙に固定される歯科用磁性アタッチメント用キーパとのセットから成る歯科用磁性アタッチメント及びその製造方法を提供することを課題とする。
【課題を解決するための手段】
【００１１】
本発明者らは前記課題を解決すべく鋭意研究の結果、歯科用磁性アタッチメント用の磁石構造体は口腔内での機能上、種々の方向からの力が作用するので十分な強度を備えていることが要求されるが、この点でサンドイッチ型よりカップヨーク型の磁石構造体の方が堅牢な構造を取れるから、磁石構造体の歪みやキーパとの接触部での局部的な変形等に対して有利であり、また磁石構造体の高さについても構造上サンドイッチ型よりカップヨーク型の方が低くすることが可能であるので適用範囲が広く、臼歯部だけでなく前歯部にもカップヨーク型の磁石構造体を使用することができれば義歯製作における技工製作上の統一性が図れて義歯製作上有利であることに着目すると共に、カップヨーク型の磁石構造体は通常円板形であり磁石構造体からの磁束が漏洩しないように磁石構造体と同形の円板形のキーパが使用されるが、この円形のキーパを前歯のように支台歯の歯肉辺縁付近の歯牙断面形状がだ円形に近い形状を成している歯牙に固定させるためにはどのようにすればよいかを検討した結果、被吸着面が長軸側が外に凸の曲線をなし短軸側が長軸側の外に凸の曲線に連続する外に凸の曲線又は直線をなし長軸径と短軸径との比（長軸径／短軸径）が１.０２〜２.０であるキーパと、軟磁性材料から成るカップヨークの中心部に設けられている円形の凹部内に円柱状永久磁石が埋入されておりカップヨークの凹部をリング状の非磁性体シールを介して軟磁性体から成る円板状のディスク板で密封溶接してキーパの被吸着面と略同形である平面状の吸着面とした磁石構造体とを組み合わせれば、キーパの被吸着面が前歯部の歯牙断面形状に近い形状となり容易に前歯部に固定することができると共に通常円形であるカップヨーク型の磁石構造体の吸着面の形状をこのキーパの被吸着面の形状に合わせることによって前歯部にもカップヨーク型の磁石構造体が使用できるようになり、臼歯部だけでなく前歯部にもカップヨーク型の歯科用磁性アタッチメントが使用できるようになるから義歯製作における技工製作上の統一性が図ることができ、また単にキーパの被吸着面と磁石構造体の吸着面の形状を前歯部の歯牙断面形状に合わせただけでは磁石構造体内の円柱状永久磁石から出る磁束の通る経路が一部狭くなり十分な磁力が得られない現象が生じるが、円柱状永久磁石の径を１としたとき磁石構造体の吸着面の短軸径が１.１〜１.４となるようにすれば、磁束の通る経路を十分に確保することができることを究明して本発明に係る歯科用磁性アタッチメントを完成したのである。
【００１２】
また、中心部に円形の凹部が設けられていて凹部が設けられている側の面の外形が長軸側が外に凸の曲線をなし短軸側が長軸側の外に凸の曲線に連続する外に凸の曲線又は直線をなす形状であり凹部に埋入される円柱状永久磁石の径を１としたとき短軸径が１.１〜１.４且つ長軸径と短軸径との比（長軸径／短軸径）が１.０２〜２.０である形状の軟磁性材料から成るカップヨークの凹部内に円柱状永久磁石を埋入し、カップヨークの凹部をリング状の非磁性体シールを介して軟磁性体から成る円板状のディスク板で密封溶接して平面状の吸着面とすることにより磁石構造体を製造すれば、前歯部の歯牙断面形状に合わせてその吸着面が形成されたカップヨークを使用して従来と同様にして製造することにより容易に前歯部に適した本発明に係る磁石構造体を製造することができ、また中心部に円形の凹部が設けられている軟磁性材料から成る横断面が円形のカップヨークの凹部内に円柱状永久磁石を埋入し、カップヨークの凹部をリング状の非磁性体シールを介して軟磁性体から成る円板状のディスク板で密封溶接して平面状とすることにより横断面が円形の従来と同様な磁石構造体を製作し、カップヨークの相対する側部を平面状に切除してカップヨークとすることにより、円柱状永久磁石の径を１としたとき吸着面の短軸径が１.１〜１.４且つ長軸径と短軸径との比（長軸径／短軸径）が１.０２〜２.０となるように磁石構造体を製造すれば、従来と同様な円形の磁石構造体を製作した後にカップヨークの相対する側部を平面状に切除するだけで容易に本発明に係る磁石構造体を製造することができ、更に軟磁性材料から成る円板状のキーパの相対する側部を平面状に切除して被吸着面の長軸径と短軸径との比（長軸径／短軸径）が１.０２〜２.０となるようにキーパを製造すれば、従来からある円板状のキーパの相対する側部を平面状に切除するだけで容易に本発明に係るキーパを製造することができ、また被吸着面の平面形状が円である軟磁性材料から成るキーパと、中心部に円形の凹部が設けられていて凹部が設けられている側の面の外形がキーパの被吸着面と同形である軟磁性材料から成るカップヨークの凹部内に円柱状永久磁石が埋入されておりカップヨークの凹部をリング状の非磁性体シールを介して軟磁性体から成る円板状のディスク板で密封溶接して平面状の吸着面とした磁石構造体とを準備し、磁石構造体の吸着面をキーパの被吸着面に磁着させた状態でそれぞれの相対する側部を同時に平面状に切除することにより、被吸着面の長軸径と短軸径との比（長軸径／短軸径）が１.０２〜２.０となるキーパと、吸着面がキーパの被吸着面と同形であり円柱状永久磁石の径を１としたとき吸着面の短軸径が１.１〜１.４となる磁石構造体とを製造すれば、本発明に係るキーパと磁石構造体とを容易且つ同時に製造することができることを究明して本発明に係る歯科用磁性アタッチメントの製造方法を完成したのである。
【００１３】
即ち本発明は、被吸着面が長軸側が外に凸の曲線をなし短軸側が長軸側の外に凸の曲線に連続する外に凸の曲線又は直線をなし長軸径と短軸径との比（長軸径／短軸径）が１.０２〜２.０である形状の軟磁性材料から成るキーパと、軟磁性材料から成るカップヨークの中心部に設けられている円形の凹部内に円柱状永久磁石が埋入されておりカップヨークの凹部をリング状の非磁性体シールを介して軟磁性体から成る円板状のディスク板で密封溶接してキーパの被吸着面と略同形である平面状の吸着面とした磁石構造体とから成り、円柱状永久磁石の径を１としたとき磁石構造体の吸着面の短軸径が１.１〜１.４であることを特徴とする歯科用磁性アタッチメントと、
中心部に円形の凹部が設けられていて凹部が設けられている側の面の外形が長軸側が外に凸の曲線をなし短軸側が長軸側の外に凸の曲線に連続する外に凸の曲線又は直線をなす形状であり凹部に埋入される円柱状永久磁石の径を１としたとき短軸径が１.１〜１.４且つ長軸径と短軸径との比（長軸径／短軸径）が１.０２〜２.０である形状の軟磁性材料から成るカップヨークの凹部内に円柱状永久磁石を埋入し、カップヨークの凹部をリング状の非磁性体シールを介して軟磁性体から成る円板状のディスク板で密封溶接して平面状の吸着面とすることにより磁石構造体を製造することを特徴とする磁石構造体の製造方法と、
中心部に円形の凹部が設けられている軟磁性材料から成る横断面が円形のカップヨークの凹部内に円柱状永久磁石を埋入し、カップヨークの凹部をリング状の非磁性体シールを介して軟磁性体から成る円板状のディスク板で密封溶接して平面状とすることにより横断面が円形の磁石構造体を製作し、カップヨークの相対する側部を平面状に切除してカップヨークとすることにより、円柱状永久磁石の径を１としたとき吸着面の短軸径が１.１〜１.４且つ長軸径と短軸径との比（長軸径／短軸径）が１.０２〜２.０となる磁石構造体を製造することを特徴とする磁石構造体の製造方法と、
軟磁性材料から成る円板状のキーパの相対する側部を平面状に切除して被吸着面の長軸径と短軸径との比（長軸径／短軸径）が１.０２〜２.０となるように製造することを特徴とするキーパの製造方法と、
被吸着面の平面形状が円である軟磁性材料から成るキーパと、中心部に円形の凹部が設けられていて凹部が設けられている側の面の外形がキーパの被吸着面と同形である軟磁性材料から成るカップヨークの凹部内に円柱状永久磁石が埋入されておりカップヨークの凹部をリング状の非磁性体シールを介して軟磁性体から成る円板状のディスク板で密封溶接して平面状の吸着面とした磁石構造体とを準備し、磁石構造体の吸着面をキーパの被吸着面に磁着させた状態でそれぞれの相対する側部を同時に平面状に切除することにより、被吸着面の長軸径と短軸径との比（長軸径／短軸径）が１.０２〜２.０となるキーパと、吸着面がキーパの被吸着面と同形であり円柱状永久磁石の径を１としたとき吸着面の短軸径が１.１〜１.４となる磁石構造体とを製造することを特徴とする歯科用磁性アタッチメントの製造方法とに関するものである。
【００１４】
そしてこのような歯科用磁性アタッチメントにおいて、キーパの被吸着面の形状が長軸側の外に凸の曲線が長軸の中心を中心とする同一半径の円弧であり短軸側が長軸側の円弧に連続する直線をなしていると、キーパの加工が容易で好ましく、キーパの被吸着面の形状がだ円形状であると、キーパの被吸着面の形状をより前歯部の歯牙断面形状に近い形状とすることができて好ましく、磁石構造体の吸着面の形状が短軸側が互いに略平行な直線をなす形状でありその短軸側の直線から連続してカップヨークの側部に相対する平面状の側面が設けられていたり、更にそのカップヨークの相対する平面状の側面が互いに略平行であれば、カップヨークの形成が容易にできて好ましく、磁石構造体の吸着面におけるカップヨークが占める面積Saと円柱状永久磁石の横断面積Smとの比（Sa／Sm）が０.８〜１.５であると、磁束の通る経路をより確実に確保することができて好ましく、またキーパの側部に把持棒が設けられていると、キーパを支台歯に取り付ける際の作業性が向上して好ましく、キーパの被吸着面と反対側の面にポストが設けられていると、キーパを支台歯に強固に取り付けることができて好ましいことも究明したのである。
【発明の効果】
【００１５】
本発明に係る歯科用磁性アタッチメントは、被吸着面が長軸側が外に凸の曲線をなし短軸側が長軸側の外に凸の曲線に連続する外に凸の曲線又は直線をなし長軸径と短軸径との比（長軸径／短軸径）が１.０２〜２.０である形状の軟磁性材料から成るキーパと軟磁性材料から成るカップヨークの中心部に設けられている円形の凹部内に円柱状永久磁石が埋入されており該カップヨークの凹部をリング状の非磁性体シールを介して軟磁性体から成る円板状のディスク板で密封溶接してキーパの被吸着面と略同形である平面状の吸着面とした磁石構造体とから構成させているから、キーパの被吸着面が前歯部の歯牙断面形状に近い形状となり容易に前歯部の支台歯に固定することができると共に通常円形であるカップヨーク型の磁石構造体の吸着面の形状をこのキーパの被吸着面の形状に合わせることによって前歯部にもカップヨーク型の磁石構造体が使用できるようになり、また単にキーパの被吸着面と磁石構造体の吸着面との形状を前歯部の歯牙断面形状に合わせただけではカップヨーク内の円柱状永久磁石から出る磁束の経路が一部狭くなり十分な磁力が得られないが、円柱状永久磁石の径を１としたとき磁石構造体の吸着面の短軸径が１.１〜１.４となる形状であるから、円柱状永久磁石の径に対するカップヨーク型の磁石構造体の吸着面形状を規定することによって磁束の経路を確保でき十分な磁力が得られるのである。
【００１６】
更にこのような歯科用磁性アタッチメントにおいて、キーパの被吸着面の形状が長軸側の外に凸の曲線が長軸の中心を中心とする同一半径の円弧であり短軸側が長軸側の円弧に連続する直線をなしている場合にはキーパの加工が容易にでき、キーパの被吸着面の形状がだ円形状である場合にはキーパの被吸着面の形状をより前歯部の歯牙断面形状に近い形状とすることができ、磁石構造体の吸着面の形状が短軸側が互いに略平行な直線をなす形状でありその短軸側の直線から連続してカップヨークの側部に相対する平面状の側面が設けられていたり、カップヨークの相対する平面状の側面が互いに略平行であったりする場合にはカップヨークの形成が容易にでき、磁石構造体の吸着面におけるカップヨークが占める面積Saと円柱状永久磁石の横断面積Smとの比（Sa／Sm）が０.８〜１.５であると磁束の通る経路をより確実に確保することができ、キーパの側部に把持棒が設けられているとキーパを取り付ける際の作業性を向上させることができ、キーパの被吸着面と反対側の面にポストが設けられているとキーパを強固に取り付けることができるのである。
【００１７】
更に本発明に係る歯科用磁性アタッチメントの製造方法において磁石構造体の製造方法が、中心部に円形の凹部が設けられていてその凹部が設けられている側の面の外形が長軸側が外に凸の曲線をなし短軸側が長軸側の外に凸の曲線に連続する外に凸の曲線又は直線をなす形状であり前記凹部に埋入される円柱状永久磁石の径を１としたとき短軸径が１.１〜１.４且つ長軸径と短軸径との比（長軸径／短軸径）が１.０２〜２.０である形状の軟磁性材料から成るカップヨークの凹部内に円柱状永久磁石を埋入し、カップヨークの凹部をリング状の非磁性体シールを介して軟磁性体から成る円板状のディスク板で密封溶接して平面状の吸着面とすることにより磁石構造体を製造する製造方法である場合には、吸着面の形状を前歯部の歯牙断面形状に合わせて形成されたカップヨークを使用して従来と同様にして製造することにより容易に前歯部に適した本発明に係る磁石構造体を製造することができ、
また中心部に円形の凹部が設けられている軟磁性材料から成る横断面が円形のカップヨークの凹部内に円柱状永久磁石を埋入し、カップヨークの凹部をリング状の非磁性体シールを介して軟磁性体から成る円板状のディスク板で密封溶接して平面状とすることにより横断面が円形の従来と同様な磁石構造体を製作し、カップヨークの相対する側部を平面状に切除してカップヨークとすることにより、円柱状永久磁石の径を１としたとき吸着面の短軸径が１.１〜１.４且つ長軸径と短軸径との比（長軸径／短軸径）が１.０２〜２.０となるように磁石構造体を製造する製造方法である場合には、従来と同様な円形の磁石構造体を製作した後にカップヨークの相対する側部を平面状に切除するだけで容易に本発明に係る磁石構造体を製造することができるのである。
【００１８】
また本発明に係る歯科用磁性アタッチメントの製造方法においてキーパの製造方法が、軟磁性材料から成る円板状のキーパの相対する側部を平面状に切除して被吸着面の長軸径と短軸径との比（長軸径／短軸径）が１.０２〜２.０となるようにキーパを製造する製造方法である場合には、従来からある円板状のキーパの相対する側部を平面状に切除するだけで容易に本発明に係るキーパを製造することができる。
【００１９】
また本発明に係る歯科用磁性アタッチメントの製造方法が、被吸着面の平面形状が円である軟磁性材料から成るキーパと、中心部に円形の凹部が設けられていて凹部が設けられている側の面の外形がキーパの被吸着面と同形である軟磁性材料から成るカップヨークの凹部内に円柱状永久磁石が埋入されておりカップヨークの凹部をリング状の非磁性体シールを介して軟磁性体から成る円板状のディスク板で密封溶接して平面状の吸着面とした磁石構造体とを準備し、磁石構造体の吸着面をキーパの被吸着面に磁着させた状態でそれぞれの相対する側部を同時に平面状に切除することにより、被吸着面の長軸径と短軸径との比（長軸径／短軸径）が１.０２〜２.０となるキーパと、吸着面がキーパの被吸着面と同形であり円柱状永久磁石の径を１としたとき吸着面の短軸径が１.１〜１.４となる磁石構造体とを製造する方法である場合には、本発明に係るキーパと磁石構造体とを容易且つ同時に製造することができるのである。
【発明を実施するための最良の形態】
【００２０】
以下、図面を用いて本発明に係る歯科用磁性アタッチメントとその製造方法について詳細に説明する。
図１は本発明に係る歯科用磁性アタッチメントのキーパ及び磁石構造体の１実施例を示す斜視図、図２は図１における磁石構造体の縦断面図、図３は本発明に係る歯科用磁性アタッチメントのキーパ及び磁石構造体の他の実施例を示す斜視図、図４は本発明に係る歯科用磁性アタッチメントのキーパ及び磁石構造体の更に他の実施例を示す斜視図、図５は本発明に係る歯科用磁性アタッチメントのキーパ及び磁石構造体の更に他の実施例を示す斜視図、図６は図５における磁石構造体の正面図である。
【００２１】
図面中、１は被吸着面1aが長軸側が外に凸の曲線をなし短軸側が長軸側の外に凸の曲線に連続する外に凸の曲線又は直線をなし長軸径と短軸径との比（長軸径／短軸径）が１.０２〜２.０である形状の26Cr-1Moステンレス鋼のような耐食性に優れた軟磁性材料から成るキーパであり、被吸着面1aが前歯部の歯牙断面形状に近い形状をなしている。このキーパ１の被吸着面1aの形状が、図１に示す如く長軸側の外に凸の曲線が長軸の中心を中心とする同一半径の円弧であり短軸側が長軸側の円弧に連続する直線をなしていると、キーパ１の製作が容易で好ましく、図４に示す如くキーパ１の被吸着面1aの形状がだ円形状であると、キーパ１の被吸着面1aの形状をより前歯部の歯牙断面形状に近い形状とすることができて好ましいのである。またキーパ１の側部に図３に示す如く把持棒1bが設けられていると、キーパ１を支台歯に取り付ける際に容易に作業ができて好ましく、キーパ１の被吸着面1aと反対側の面に図４に示す如くポスト1cが設けられていると、キーパ１を支台歯に強固に取り付けることができて好ましい。
【００２２】
２は円形の凹部2aが中心部に設けられている26Cr-1Moステンレス鋼のような耐食性に優れた軟磁性材料から成るカップヨークであり、その凹部2aが設けられている側の面の外形がキーパ１の被吸着面1aの外形と略同形である。この凹部2aが設けられている側の面の外形が短軸側が互いに略平行な直線をなす形状でありその短軸側の直線から連続してカップヨーク２の側部に相対する平面状の側面2b，2bが設けられていたり、更にそのカップヨーク２の相対する平面状の側面2b，2bが互いに略平行であると、カップヨーク２の形成が容易にできて好ましいのである。なお、カップヨーク２の側部の少なくとも一部にカップヨーク２の横断面に沿った突起又は溝が更に設けられていたり、カップヨーク２の側部とカップヨーク２の凹部2aが設けられている側と反対の面との少なくとも一方が粗面化されていたりすると、カップヨーク２を後述する磁石構造体６に使用した際に義歯床を構成する樹脂との固着性能を向上させることができるので好ましい。
【００２３】
３はカップヨーク２の中心部に設けられている円形の凹部2a内に埋入されている好ましくは円形の凹部2aと同形のNd-Fe-B系等の円柱状永久磁石であり、この円柱状永久磁石３の径を１としたときキーパ１の被吸着面1aの短軸径は１.１〜１.４となっている。
【００２４】
４はリング状の非磁性体シールであり、このリング状の非磁性体シール４は特開２００１−２５２２８９号公報に記載された義歯用磁性アタッチメントのスぺーサーに使用されるオーステナイト系ステンレス鋼のような殆どニッケルを含まないＮｉフリー高窒素含有ステンレス鋼であると、アレルギーを起こす危険性を減らすことができて好ましい。
【００２５】
５は円柱状永久磁石３が埋入されているカップヨーク２の凹部2aをリング状の非磁性体シール４を介して密封溶接するカップヨーク２と略同材質の軟磁性体から成る円板状のディスク板であり、円柱状永久磁石３の磁気吸着力を有効にキーパ１に作用させる役目をなす。
【００２６】
６は軟磁性材料から成るカップヨーク２の中心部に設けられている円形の凹部2a内に円柱状永久磁石３が埋入されておりカップヨーク２の凹部2aをリング状の非磁性体シール４を介して軟磁性体から成る円板状のディスク板５で密封溶接してキーパ１の被吸着面1aと略同形である平面状の吸着面6aとした磁石構造体であり、この磁石構造体６の吸着面6aの短軸径は円柱状永久磁石３の径を１としたとき１.１〜１.４となっているから、円柱状永久磁石３から出る磁束の経路を確保でき十分な磁力が得られるのである。また磁石構造体６の吸着面6aにおけるカップヨーク２が占める面積Saと円柱状永久磁石３の横断面積Smとの比（Sa／Sm）が０.８〜１.５であれば、磁束の通る経路をより確実に確保することができて好ましいのである。更に磁石構造体６の吸着面6aの形状とこの吸着面6aと平行な磁石構造体６の断面の形状とが略相似であったり略同一であったりすれば、磁石構造体６の全体形状は比較的簡単な形状であるから製造が容易となり、また吸着面6aと平行な磁石構造体６の横断面積が図３に示す如く吸着面6aから離れるほど大きくなっていたり、図５及び図６に示す如く吸着面6aと平行な磁石構造体６の横断面積が吸着面6aから離れるほど大きくなり途中から吸着面6aと反対側の面に近づくに従って小さくなっていたりすれば、義歯床を構成する樹脂との固着性能を向上させることができて良いのである。
【００２７】
このような本発明に係る歯科用磁性アタッチメントの製造方法について以下に詳述する。
先ず、磁石構造体６の製造方法としては大きく分けて２種類あり、先に凹部2aが設けられている側の面の外形が前歯部の歯牙断面形状に近似した形状のカップヨーク２を成形しその成形済みのカップヨーク２を使用して磁石構造体６を製造する方法と、従来形の横断面が円形の磁石構造体６'を製作した後に横断面が円形のカップヨーク２'の相対する側部を平面状に切除して磁石構造体６を製造する方法とがある。
【００２８】
凹部2aが設けられている側の面の外形が前歯部の歯牙断面形状に近似した形状に成形済みのカップヨーク２を使用して磁石構造体６を製造する方法において、成形済みのカップヨーク２を得る方法は特に限定されないが、例えば精密鋳造やプレス成形によって得たり、成形するカップヨーク２の側部の形状に合わせて側部を加工した棒状のものをスライス切断し凹部2a等を適宜切削加工することによって得ることができる。また、成形済みのカップヨーク２の凹部2aが設けられている側の面の外形は、埋入される円柱状永久磁石３の径を１としたとき短軸径が１.１〜１.４且つ長軸径と短軸径との比（長軸径／短軸径）が１.０２〜２.０となるように成形されていれば良く、短軸側は必ずしも直線である必要はなく、図３に示す如く短軸側が長軸側の外に凸の曲線に連続する外に凸の曲線であったり、図４に示す如くだ円形状であってもよい。
【００２９】
このように成形されたカップヨーク２を使用して磁石構造体６を製造するには、先ずカップヨーク２の中心部に設けられた円形の凹部2a内に円柱状永久磁石３を埋入し、次にその円柱状永久磁石３を覆うようにしてカップヨーク２の凹部2aをリング状の非磁性体シール４を介して軟磁性体から成る円板状のディスク板５で密封溶接して平面状の吸着面6aに仕上げれば、前歯部の歯牙断面形状に合わせて形成されたカップヨーク２を使用して従来と同様にして容易に本発明に係る磁石構造体６を製造することができるのである。
【００３０】
一方、従来形の横断面が円形の磁石構造体６'を使用して磁石構造体６を製造する方法では、先ず中心部に円形の凹部2aが設けられている軟磁性材料から成る横断面が円形のカップヨーク２'の凹部2a内に円柱状永久磁石３を埋入し、そのカップヨーク２'の凹部2aをリング状の非磁性体シール４を介して軟磁性体から成る円板状のディスク板５で密封溶接して平面状に仕上げることにより横断面が円形の磁石構造体６'を製作し、次に横断面が円形のカップヨーク２'の相対する側部を平面状に切除することによって吸着面6aの形状が円柱状永久磁石３の径を１としたとき吸着面6aの短軸径が１.１〜１.４且つ長軸径と短軸径との比（長軸径／短軸径）が１.０２〜２.０となるように磁石構造体６を製造すればよいのである。その際、横断面が円形のカップヨーク２'として、円板状のカップヨーク２'を使用すれば、従来形の円板状のカップヨーク２'をそのまま使用できるから安価に製造でき、また従来からの製造技術もそのまま利用することができるのである。
【００３１】
更にカップヨーク２又は横断面が円形のカップヨーク２'としてその側部の少なくとも一部にカップヨーク２又は横断面が円形のカップヨーク２'の横断面に沿った突起又は溝2cが予め設けられているものを使用したり、磁石構造体６を組立てた後にカップヨーク２の側部の少なくとも一部を切削してカップヨーク２の横断面に沿った溝2cを設けたりすれば、義歯床を構成する樹脂との固着性を向上させることができて良いのである。
【００３２】
次に、キーパ１の製造方法については型抜きによる製造等も可能であるが、軟磁性材料から成る円板状のキーパ１の相対する側部を平面状に切除して被吸着面1aの長軸径と短軸径との比（長軸径／短軸径）が１.０２〜２.０となるように製造すれば、従来形の円板状のキーパ１の相対する側部を平面状に切除するだけで容易に製造することができるのである。
【００３３】
またキーパ１と磁石構造体６とを同時に製造する方法としては、先ず被吸着面1a'の平面形状が円である軟磁性材料から成るキーパ１'と、中心部に円形の凹部2aが設けられていて凹部2aが設けられている側の面の外形がキーパ１'の被吸着面1a'と同形である軟磁性材料から成るカップヨーク２の凹部2a内に円柱状永久磁石３が埋入されておりカップヨーク２の凹部2aをリング状の非磁性体シール４を介して軟磁性体から成る円板状のディスク板５で密封溶接して平面状の吸着面6a'とした磁石構造体６'とを準備する。次に、キーパ１の被吸着面1aの長軸径と短軸径との比（長軸径／短軸径）が１.０２〜２.０、磁石構造体６の吸着面6aがキーパ１の被吸着面1aと同形であり円柱状永久磁石３の径を１としたとき吸着面6aの短軸径が１.１〜１.４となるように、磁石構造体６'の吸着面6a'をキーパ１'の被吸着面1a'に磁着させた状態でそれぞれの相対する側部を同時に平面状に切除すれば、本発明に係る歯科用磁性アタッチメントのキーパ１と磁石構造体６とを容易且つ同時に製造することができるのである。
【図面の簡単な説明】
【００３４】
【図１】本発明に係る歯科用磁性アタッチメントのキーパ及び磁石構造体の１実施例を示す斜視図である。
【図２】図１における磁石構造体の縦断面図である。
【図３】本発明に係る歯科用磁性アタッチメントのキーパ及び磁石構造体の他の実施例を示す斜視図である。
【図４】本発明に係る歯科用磁性アタッチメントのキーパ及び磁石構造体の更に他の実施例を示す斜視図である。
【図５】本発明に係る歯科用磁性アタッチメントのキーパ及び磁石構造体の更に他の実施例を示す斜視図である。
【図６】図５における磁石構造体の正面図である。
【符号の説明】
【００３５】
１  キーパ
1a  被吸着面
1b  把持棒
1c  ポスト
２  カップヨーク
2a  凹部
2b  側面
2c  突起又は溝
３  円柱状永久磁石
４  非磁性体シール
５  ディスク板
６  磁石構造体
6a  吸着面
【図１】
2004298611.tif 000003
【図２】
2004298611.tif 000004
【図３】
2004298611.tif 000005
【図４】
2004298611.tif 000006
【図５】
2004298611.tif 000007
【図６】
2004298611.tif 000008